(57)【要約】【課題】クリーニング工程にクリーニング物に取り付けられるＩＣタグにおいて、クリーニング処理に耐えることができ、着脱が容易で再利用が可能なＩＣタグを提供する。【解決手段】クリーニング物Ｃに取り付けられ、当該クリーニング物Ｃに係るデータの管理に利用されるＩＣタグ１０において、非接触のデータ通信が可能なＩＣチップ１０ｃと、前記ＩＣチップ１０ｃが埋設されると共に、所定の径を有する貫通孔１０ａが形成されたタグ部１０ｂとを備えている。【選択図】図５
2008269201.tif 000002
【特許請求の範囲】
【請求項１】
クリーニング物に取り付けられ、当該クリーニング物に係るデータの管理に利用されるＩＣタグにおいて、
非接触のデータ通信が可能なＩＣチップと、
前記ＩＣチップが埋設されると共に、所定の径を有する貫通孔が形成されたタグ部とを備えていることを特徴とするＩＣタグ。
【請求項２】
前記タグ部に形成された貫通孔に、少なくとも耐水性を有する紙またはプラスチックからなるタグ、ないしは、ハンガーの吊り下げフックが通されることにより、クリーニング物に取り付けがなされることを特徴とする請求項１に記載されたＩＣタグ。
【請求項３】
前記タグ部は、シリコーンゴムにより形成されていることを特徴とする請求項１または請求項２に記載されたＩＣタグ。
【発明の詳細な説明】
【技術分野】
【０００１】
本発明は、顧客から預かったクリーニング物に取り付けられ、そのクリーニング物に係るデータの管理に利用されるＩＣタグに関する。
【背景技術】
【０００２】
クリーニング店舗（取次店）においては、例えば顧客が複数のクリーニング物を持ち込むと、伝票に顧客の名前、伝票番号、クリーニング物の品目等が記録されると共に、各クリーニング物に固有の番号（タグ番号）が付され、その番号が記載された紙製のタグがクリーニング物に取り付けられる。そして、タグが取り付けられたクリーニング物は、クリーニング工場に搬送されて適切なクリーニング加工がなされ、クリーニング店舗に搬送された後、伝票に記載された情報に基づき顧客に引き渡される仕組みとなっている。
【０００３】
しかしながら、そのような従来の形態にあっては、クリーニング工場において、クリーニング物の材質や状態などに応じ、手洗い洗濯、ドライ洗濯等の処理内容を人的作業により判断しており、作業に時間を要していた。
【０００４】
このため、特許文献１には、クリーニング物にＩＣチップを埋め込んだＩＣタグを取り付け、そのＩＣチップに顧客ＩＤ情報及びクリーニング物の加工内容を特定するための情報を取次店舗で記録しておくことにより、工場での仕分け作業を効率的に行うシステムが開示されている。
【特許文献１】特開２００４−７３６７５号公報
【発明の開示】
【発明が解決しようとする課題】
【０００５】
特許文献１に開示されたクリーニング管理システムによれば、クリーニング工場での仕分け作業や取次店までの配送までの一連の作業の流れがスムーズに行われ、作業効率を向上させることができる。
【０００６】
ところで、特許文献１に開示のシステムで用いられるようなＩＣタグは、水洗機や乾燥機での処理が行われるクリーニング工程中にもクリーニング物に取り付けられているため、水洗機や乾燥機等での処理中に外れないよう取り付ける必要があった。
しかしながら、クリーニング物から簡単に外れないよう、ＩＣタグを直接、クリーニング物Ｃに縫い付けたり、或いはステープラの金属針で取り付ける場合には、着脱に手間を要する上、ＩＣチップを覆うタグ部が破損しやすく、何度も再利用できないという課題があった。
【０００７】
さらに、ＩＣタグは、集積回路であるＩＣチップをタグ部に埋設しているため、前記タグ部には、耐熱性、耐劣化性、耐溶剤性、耐破損性といった性能が要求されるという課題があった。
尚、特許文献１に示されるクリーニング管理システムにあっては、ＩＣタグの形状やタグ部分の材質、クリーニング物への取り付け方法等について何ら開示されていない。
【０００８】
本発明は、前記したような事情の下になされたものであり、クリーニング工程にクリーニング物に取り付けられるＩＣタグにおいて、クリーニング処理に耐えることができ、着脱が容易で再利用が可能なＩＣタグを提供することを目的とする。
【課題を解決するための手段】
【０００９】
前記した課題を解決するために本発明にかかるＩＣタグは、クリーニング物に取り付けられ、当該クリーニング物に係るデータの管理に利用されるＩＣタグにおいて、非接触のデータ通信が可能なＩＣチップと、前記ＩＣチップが埋設されると共に、所定の径を有する貫通孔が形成されたタグ部とを備えていることに特徴を有する。
尚、前記タグ部に形成された貫通孔に、少なくとも耐水性を有する紙またはプラスチックからなるタグ、ないしは、ハンガーの吊り下げフックが通されることにより、クリーニング物に取り付けがなされることが望ましい。
【００１０】
このような構成によれば、ＩＣタグのクリーニング物に対する着脱を容易なものとすることができる。
また、クリーニング工程が終了するまでは、ＩＣタグを少なくとも耐水性を有する紙またはプラスチックからなるタグを介して取り付けることにより、水洗機や乾燥機での処理によっても外れないようにすることができる。
また、クリーニング工程終了後は、ＩＣタグはハンガーを介してクリーニング物に取り付けられる。これにより、仕分け時にハンガーレールに掛けられた状態で、複数のクリーニング物におけるＩＣタグは略所定の位置となる。即ち、クリーニング物の種類によらず、ＩＣタグを利用した仕分け作業を容易なものとすることができる。
【００１１】
また、前記タグ部は、シリコーンゴムにより形成されていることが望ましい。
これによりＩＣタグに、耐水性、耐熱性、耐溶剤性、可撓性を持たせることができる。即ち、耐水性、耐熱性、耐溶剤性により、各種クリーニング処理に耐えて、ＩＣチップを保護することができ、可撓性によりＩＣタグのクリーニング物に対する着脱をさらに容易なものとすることができる。
【発明の効果】
【００１２】
本発明によれば、クリーニング工程にクリーニング物に取り付けられるＩＣタグにおいて、クリーニング処理に耐えることができ、着脱が容易で再利用が可能なＩＣタグを得ることができる。
【発明を実施するための最良の形態】
【００１３】
以下、本発明の実施の形態を図面に基づき説明する。図１は本発明に係るＩＣタグが使用され得るクリーニング管理システム１の概略構成を示すブロック図である。
図１に示すクリーニング管理システム１は、クリーニング物Ｃの洗濯処理を行うクリーニング工場Ｆと、顧客からクリーニング物Ｃを預かり、クリーニング工場Ｆにクリーニング加工を依頼する所謂取次店としての複数のクリーニング店舗Ｒ1〜Ｒnとで構成される。
【００１４】
図１に示すように、クリーニング工場Ｆは、クリーニング物Ｃをクリーニング処理するための水洗機２や乾燥器３、さらに図示しないドライ洗濯機、プレス機等を備えている。また、クリーニング工場Ｆには、クリーニング物Ｃに取り付けられた後述のＩＣタグ１０に対し無線によりデータの読み書き動作を行なう板状の複数のＩＣタグ読み取り機１１と、環状の複数のＩＣタグ読み取り機１２とが、それらを制御する工場コンピュータ１３に接続されて設けられている。
【００１５】
また、各店舗Ｒ1〜Ｒnには、顧客から受け付けたクリーニング物Ｃに係るデータを管理する店舗コンピュータ２０が設けられ、この店舗コンピュータ２０にはクリーニング物Ｃに取り付けるＩＣタグ１０に対しデータの読み書きを行なうためのＩＣチップリーダライタ２１が接続されている。また、各店舗Ｒ1〜Ｒnには、クリーニング物Ｃの受付を行なうためのＰＯＳレジ２２が設けられている。
【００１６】
続いて、クリーニング物Ｃに取り付けられるＩＣタグ１０について、図２乃至図４に基づき詳しく説明する。
図２は、ＩＣタグ１０の斜視図、図３は平面図、図４は側面図である。
図２、図３に示すように、ＩＣタグ１０は円環状（ドーナツ状）の平板であり、その平板中央に所定の径を有する円形の貫通孔１０ａが形成されている。
【００１７】
また、図３、図４に示すように、ＩＣタグ１０においては、ＲＦＩＤ（無線による固体認識）により被接触のデータ通信が可能なＩＣチップ１０ｃがタグ部１０ｂ内に埋設されている。ＩＣチップ１０ｃはチップ基材にＰＥＴが用いられ、アンテナ部にはアルミを印刷したコイルが用いられている。
外装を形成するタグ部１０ｂは可撓性、耐水性、耐熱性、耐溶剤性等を得るために、メチルシリコーンゴム、ビニルメチルシリコーンゴム、または、加硫されたシリコーンゴム等により形成されている。
これにより、ＩＣチップ１０ｃは水洗機２における浸水や乾燥機３等における加熱の影響から保護されるようになされている。
また、ＩＣタグ１０の寸法は、例えば、直径ｄ１が３５ｍｍ、貫通孔１０ａの直径ｄ２が１２ｍｍ、厚さｄ３が１ｍｍに形成される。尚、本発明に係るＩＣタグ１０においては、前記した直径ｄ１、ｄ２、厚さｄ３の各寸法の値は、それに限定されるものではなく、その他の所定値に形成することもできる。
【００１８】
次に、このＩＣタグ１０のクリーニング物Ｃに対する着脱方法について図５、図６に基づいて説明する。図５は、クリーニング工程が終了するまでのＩＣタグ１０の取り付け状態を示す図である。図６は、クリーニング工程終了後におけるＩＣタグ１０の取り付け状態を示す図である。
【００１９】
図５に示すように、クリーニング工程が終了するまでは、従来からクリーニング物Ｃの識別に用いられ、耐水性、耐熱性、耐溶剤性を有する紙製またはプラスチック製の帯状タグ４０にＩＣタグ１０が取り付けられる。
即ち、図示するように、帯状タグ４０をＩＣタグ１０に形成された貫通孔１０ａに通すことによって容易に取り付けがなされる。具体的には、クリーニング物ＣのボタンホールＣ１等の所定箇所に通された帯状タグ４０は、その中央で折り曲げられて２枚に重なった状態となされ、その両端がステープルの金属針４１ａで留められ、さらにＩＣタグ１０よりもクリーニング物Ｃ側の箇所が金属針４１ｂによって留められる。これにより、水洗機２や乾燥機３等によるクリーニング処理が施されても、ＩＣタグ１０が簡単に外れることがない。
【００２０】
また、ＩＣタグ１０をクリーニング物から取り外す際には、金属針４１ａを帯状タグ４０から外すことにより容易に取り外すことができ、その場合、帯状タグ４０は金属針４１ｂによりクリーニング物Ｃに取り付けられた状態が維持される。このため、ＩＣタグ１０がアクシデントにより、或いは故意によりクリーニング物Ｃから外された状態となっても、従来のように帯状タグ４０に予め所定情報が記載してあれば、クリーニング物Ｃが不明品になることを防止することができる。
また、このような従来の帯状タグ４０を利用した取り付け方法によれば、ＩＣタグ１０の着脱が容易となり、ＩＣタグ１０自体が破損することがないので、何回も再利用することができる。
【００２１】
また、図６に示すように、クリーニング工程が終了し、クリーニング物Ｃがハンガー４２に掛けられてからは、ハンガー４２の吊り下げフック４２ａがＩＣタグ１０の貫通孔１０ａに通されて取り付けがなされる。
このように、クリーニング工場Ｆでの出荷前の段階においては、クリーニング物の種類によらず、ＩＣタグ１０は所定の位置に取り付けられる。したがって、クリーニング工場Ｆでの出荷段階において、複数のクリーニング済みのクリーニング物Ｃをハンガーレールに吊り下げた状態で、ＩＣチップ読み取り機１１により複数のクリーニング物ＣのＩＣタグ１０のデータを連続して読み取り、出荷する店舗Ｒ等の仕分けを容易に行なうことができる。
尚、前記したＩＣタグ１０の着脱の際には、ＩＣタグ１０が可撓性を有するため、その着脱をより容易に行なうことができる。
【００２２】
続いて、このような構成のクリーニング管理システム１における全体の処理の流れについて説明する。
先ず、店舗Ｒ1にクリーニング物Ｃが持ち込まれると、各店舗Ｒ1〜Ｒnにおいては、顧客からのクリーニング物Ｃの受け付けがＰＯＳレジ２２によって行われる。
受付時にＰＯＳレジ２２に登録された受付データ（顧客名、店舗ナンバー、商品ナンバー、作業工程コース、商品の素材、特殊加工情報、色柄コード、店舗受付日、お渡し日時、ＩＣタグナンバー、タグナンバー、伝票ナンバー等）は、店舗コンピュータ２０に送信される。
また、受け付けられた各クリーニング物Ｃには図５に示すように帯状タグ４０を介してＩＣタグ１０が取り付けられ、店舗コンピュータ２０からＩＣチップリーダライタ２１を介し、所定のデータがＩＣタグ１０に登録される。
【００２３】
全てのクリーニング物Ｃについて所定のデータがＩＣタグ１０に登録されると、夫々ＩＣタグ１０が取り付けられた全てのクリーニング物Ｃは工場Ｆに出荷される。工場Ｆにおいては、入荷した全てのクリーニング物Ｃに対しＩＣタグ読み取り機１１によるＩＣタグ１０のＩＣタグナンバー読み取りがなされ、それに対応するクリーニング物Ｃに係る情報が図示しない入荷仕分け用ディスプレイに表示される。作業者は、この入荷仕分け用ディスプレイを見ながら水洗、ドライ、外注等の仕分け作業を行う。
【００２４】
次いで、工場Ｆにおいては、仕分けされたクリーニング物Ｃに対し、作業工程コース別に水洗またはドライ洗濯等がなされ、さらに、しみ抜き等の特殊処理やアイロン・プレス処理が行われる。
尚、この作業中において、クリーニング物Ｃを洗濯機械や乾燥機等に投入する際、及び取り出す際に、クリーニング物Ｃが環状のＩＣタグ読み取り機１２の輪の中を通るようになされている。これによりＩＣタグ１０のＩＣタグナンバーがＩＣタグ読み取り機１２によって読み出され、コンピュータ１３に送信される。コンピュータ１３では、ＩＣタグナンバーに基づくデータベースの所定領域に、データの受信時刻、作業者名、作業内容等の情報を記録する。
【００２５】
洗濯、乾燥、アイロン・プレス処理が行われたクリーニング物Ｃは、ハンガーに掛けられた状態とされ、ここで、それまで図５に示すように紙製のタグを介して取り付けられていたＩＣタグ１０は、図６に示すように、その中央の貫通孔１０ａがハンガー４２の吊り下げフック４２ａに通される。また、クリーニング物Ｃは、さらに最終仕上げのため、図示しない自動包装機によって透明ビニール包装がなされる。
【００２６】
そしてクリーニング物Ｃは、図示しない自動仕分け機によってＩＣタグ１０のデータが読み出され、店舗別、顧客別に仕分けがなされ、店舗ごとに設けられた保管レールに搬送され保管される。ここで、ＩＣタグ１０は、クリーニング物Ｃの種類によらず、ハンガー４２の吊り下げフック４２ａに通されて取り付けられているため、仕分け時にハンガーレールに掛けられた状態で、複数のクリーニング物ＣにおけるＩＣタグ１０は略所定の位置となる。このため、自動仕分け機による仕分け作業を容易なものとすることができる。
【００２７】
また、保管レールに保管されたクリーニング物Ｃは、適宜各店舗Ｒに搬送される。各店舗Ｒ1〜Ｒnにおいては、ハンガー４２の吊り下げ部４２ａに取り付けられたＩＣタグ１０を取り外し、顧客への引渡しが行なわれる。
尚、店舗Ｒにおいて回収されたＩＣタグ１０は、新たに顧客から預かったクリーニング物Ｃに再利用される。
【００２８】
以上の実施の形態によれば、ＩＣタグ１０は、タグ部１０ｂに所定の径を有する貫通孔１０ａが形成され、この貫通孔１０ａに、従来から用いられている帯状タグ４０ないしはハンガー４２の吊り下げフック４２ａが通されて、クリーニング物Ｃへの取り付けがなされる。これにより、ＩＣタグ１０のクリーニング物に対する着脱を容易なものとすることができる。
さらに、ＩＣタグ１０は、可撓性を有するため、帯状タグ４０やハンガー４２の吊り下げフック４２ａを貫通孔１０ａに通す、或いは貫通孔１０ａから外す作業が容易なものとなり、ＩＣタグ１０のクリーニング物Ｃに対する着脱をさらに容易なものとすることができる。
【００２９】
また、クリーニング工程が終了するまでは、ＩＣタグ１０は帯状タグ４０を介して取り付けられるため、水洗機２や乾燥機３での処理によっても外れることがない。また、タグ部１０ｂが、耐水性、耐熱性、耐溶剤性等を有するため、ＩＣチップ１０ｃを確実に保護し、ＩＣタグ１０の再利用が可能である。
また、クリーニング工程終了後は、ＩＣタグ１０はハンガーを介して取り付けられるため、仕分け時にハンガーレールに掛けられた状態で、複数のクリーニング物ＣにおけるＩＣタグ１０は略所定の位置となる。このため、クリーニング物Ｃの種類によらず、ＩＣタグ１０を利用した仕分け作業を容易なものとすることができる。
【００３０】
尚、前記実施の形態においては、ＩＣタグ１０の形状を円環状（ドーナツ状）の平板とし、その平板中央に円形の貫通孔１０ａが形成されたものとしたが、本発明に係るＩＣタグの形状は、これに限定されず、例えば方形状の平板、その他多角形状の平板に、少なくとも帯状タグ４０やハンガー４２の吊り下げフック４２ａを通すことのできる貫通孔１０ａが形成されているものであればよい。この貫通孔１０ａの形状も限定されるものではない。
【産業上の利用可能性】
【００３１】
本発明は、顧客から預かったクリーニング物に取り付けられ、そのクリーニング物に係るデータの管理に利用されるＩＣタグに適用される。
【図面の簡単な説明】
【００３２】
【図１】図１は、本発明に係るＩＣタグが使用され得るクリーニング管理システムの概略構成を示すブロック図である。
【図２】図２は、本発明に係るＩＣタグの斜視図である。
【図３】図３は、本発明に係るＩＣタグの平面図である。
【図４】図４は、本発明に係るＩＣタグの側面図である。
【図５】図５は、クリーニング工程が終了するまでのＩＣタグの取り付け状態を示す図である。
【図６】図６は、クリーニング工程終了後におけるＩＣタグの取り付け状態を示す図である。
【符号の説明】
【００３３】
１        クリーニング管理システム
２        水洗機
３        乾燥機
１０      ＩＣタグ
１０ａ    貫通孔
１０ｂ    タグ部
１０ｃ    ＩＣチップ
１１      ＩＣタグ読み取り機
１２      ＩＣタグ読み取り機
１３      工場コンピュータ
２０      店舗コンピュータ
２１      ＩＣチップリーダライタ
２２      ＰＯＳレジ
４０      帯状タグ（紙製またはプラスチック製のタグ）
４１      金属針
４２      ハンガー
４２ａ    吊り下げフック
Ｃ        クリーニング物
Ｆ        クリーニング工場
Ｒ        店舗（取次店）
【図１】
2008269201.tif 000003
【図２】
2008269201.tif 000004
【図３】
2008269201.tif 000005
【図４】
2008269201.tif 000006
【図５】
2008269201.tif 000007
【図６】
2008269201.tif 000008